(57)【特許請求の範囲】
【請求項１】
円筒状の第１案内面を含む第１案内部を有する第１案内軸と、
前記第１案内軸と平行に配され、円筒状の第２案内面を含む第２案内部を有する第２案内軸と、
前記第１案内軸を支持する第１支持部と、
前記第２案内軸を支持する第２支持部と、
レンズを保持しつつ、前記第１案内軸および前記第２案内軸に沿って移動するレンズ保持部材と
を備えるレンズ鏡筒であって、
前記第１案内軸は、前記第１案内面の中心軸に対して偏芯した回転中心の周りに回転自在に、前記第１支持部から支持される第１被支持部を有し、
前記第２案内軸は、前記第２案内面の中心軸に対して偏芯した回転中心の周りに回転自在に、前記第２支持部から支持される第２被支持部を有し、
前記レンズ保持部材は、前記第１案内面の周面に接し前記第１案内部の直径より長く延在する一対の第１被案内面と、前記２案内面の周面に接し前記第２案内部の直径より長く延在する一対の第２被案内面とを有し、
前記一対の第１被案内面の延在方向と前記一対の第２被案内面の延在方向とは直交する
ことを特徴とするレンズ鏡筒。
【請求項２】
請求項１に記載のレンズ鏡筒であって、前記一対の第１被案内面は、前記第２案内軸が回転した場合に、前記一対の第１被案内面に直交する方向の力を受け、前記一対の第２被案内面は、前記第１案内軸が回転した場合に、前記一対の第２被案内面に直交する方向の力を受けることを特徴とするレンズ鏡筒。
【請求項３】
請求項１または請求項２に記載のレンズ鏡筒であって、前記第１案内部は、前記第２案内部に対して、前記レンズの光軸の回りに前記保持部材に沿って９０°回転した位置に配されることを特徴とするレンズ鏡筒。
【請求項４】
請求項１から請求項３までのいずれかに記載のレンズ鏡筒であって、前記レンズ保持部材は、前記レンズの周方向について、前記第１案内面と前記第２案内面とに挟まれた一対の領域のうち狭い方の領域に、移動する場合の駆動力を受ける被駆動部を有することを特徴とするレンズ鏡筒。
【請求項５】
請求項１または請求項２に記載のレンズ鏡筒であって、前記一対の第１被案内部と前記一対の第２被案内面とは、前記レンズの光軸を挟んで反対側に配されることを特徴とするレンズ鏡筒。
【請求項６】
請求項１から請求項５までのいずれかに記載のレンズ鏡筒であって、
前記第１案内軸は、前記第１被支持部の回転中心同軸の円筒状の第３案内面を含む第３案内部を有し、前記第２案内軸は、前記第２被支持部の回転中心と同軸の円筒状の第４案内面を含む第４案内部を有し、
他のレンズを保持して、前記第３案内部および前記第４案内部に支持された他のレンズ保持部材を更に備えることを特徴とするレンズ鏡筒。
【請求項７】
請求項１から請求項６までのいずれかに記載のレンズ鏡筒と、
前記レンズ鏡筒により結像された画像を撮像する撮像部と
を備えたことを特徴とする撮像装置。
【発明の詳細な説明】
【技術分野】
【０００１】
本発明は、レンズ鏡筒および撮像装置に関する。
【背景技術】
【０００２】
撮像装置等に用いられるレンズ鏡筒において、一部の光学部品の光軸を変位させることができる調芯機構を設けたレンズ鏡筒がある（特許文献１を参照）。
【先行技術文献】
【特許文献】
【０００３】
【特許文献１】特開２００８−２０９６４７号公報
【発明の概要】
【発明が解決しようとする課題】
【０００４】
しかしながら、調芯機構による光軸の変位の方向および変位の量には制限がある。このため、調整対象となる光学部品の光軸を求められる位置に合わせることは容易な作業ではない。
【課題を解決するための手段】
【０００５】
上記課題を解決すべく、本発明の第一態様として、円筒状の案内面（１２２、１２３）を含む案内部を有して互いに平行に配された一対の案内軸（１２０、１２１）と、一対の案内軸を支持する支持部（１６０、１６１）と、レンズを保持しつつ案内軸に沿って支持部に対して移動するレンズ保持部材（１４０）とを備えるレンズ鏡筒（１００）であって、一対の案内軸の各々は、案内面の中心軸に対して偏芯した回転中心の周りに回転自在に、支持部から支持される被支持部（１２４、１２５）を有し、レンズ保持部材は、一対の案内軸が回転した場合に互いに直交する方向の力を受ける一対の被案内部（１４２、１４３）を有するレンズ鏡筒が提供される。
【０００６】
また、本発明の第二態様として、上記レンズ鏡筒（１００）と、レンズ鏡筒により結像された画像を撮像する撮像部（２００）とを備えた撮像装置（３００）が提供される。
【図面の簡単な説明】
【０００７】
【図１】カメラシステム３００の断面図である。
【図２】調芯機構４００の断面図である。
【図３】調芯機構４００の断面図である。
【図４】調芯機構４００の動作を説明する模式図である。
【図５】調芯機構４００の調芯範囲を示す図である。
【図６】調芯機構４００の他の形態を示す図である。
【図７】調芯機構４００の調芯範囲を示す図である。
【図８】調芯機構４００のまた他の形態を示す図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、カメラシステム３００の断面図である。カメラシステム３００は、レンズユニット１００およびカメラボディ２００を含む。
【００１０】
レンズユニット１００は、カメラボディ２００のマウント部２６０に着脱自在に装着される。レンズユニット１００は、固定筒１１０と、一対のガイドバー１２０、１２１と、複数のレンズ枠１３０、レンズ枠１４０およびレンズ枠１５０を含む。
【００１１】
更に、カメラボディ２００に装着されたレンズユニット１００は、図示していない接続端子を介して、カメラボディ２００に対して電気的にも結合される。これにより、レンズユニット１００は、カメラボディ２００から電力を供給されると共に、レンズユニット１００およびカメラボディ２００の間で信号が送受信される。
【００１２】
固定筒１１０は、一端においてカメラボディ２００に結合される。固定筒１１０は、他端において、レンズ枠１３０を支持する。レンズ枠１３０は、前玉を含むレンズ群１３１を支持する。レンズ枠１３０は、固定筒１１０に対して、レンズ群１３１の光軸Ｃの方向に移動する。これにより、レンズ群１３１も光軸Ｃの方向に移動する。
【００１３】
固定筒１１０は、内面に、２組の支持部１６０、１６１を有する。一対のガイドバー１２０、１２１は、それぞれの端部１２４、１２５を、支持部１６０、１６１に回転自在に支持される。また、ガイドバー１２０、１２１の中程には、偏心部１２２、１２３が配される。
【００１４】
なお、この図では、一対のガイドバー１２０、１２１は、光軸Ｃに対して上下対称に配されている。しかしながら、他の図を参照して後述するように、ガイドバー１２０、１２１は他の配置も採り得る。
【００１５】
レンズ枠１４０は、偏心部１２２、１２３においてガイドバー１２０、１２１から支持されつつ、レンズ１４１を保持する。また、レンズ枠１４０は、ガイドバー１２０、１２１の偏心部１２２、１２３に沿って、レンズ１４１の光軸Ｃの方向に移動する。
【００１６】
レンズ枠１５０は、レンズ枠１４０よりもカメラボディ２００に近い側で、ガイドバー１２０、１２１から支持される。レンズ枠１５０は、レンズ群１５１および絞り装置１５２を保持すると共に、ガイドバー１２０、１２１に沿って、レンズ群１５１の光軸Ｃの方向に移動する。
【００１７】
レンズユニット１００においては、例えば、レンズ群１３１を移動させることにより、レンズユニット１００全体の焦点位置を移動させることができる。これにより、後述するイメージセンサ２１０の受光面に撮像対象の像を結ばせることができる。また、レンズユニット１００においては、例えば、レンズ１４１およびレンズ群１５１を移動させることにより、レンズユニット１００全体の倍率（焦点距離）を変化させることができる。
【００１８】
カメラボディ２００は、メインミラー２４０、ペンタプリズム２７０、ファインダ光学系２９０を含む光学系と、主制御部２５０とを収容する。メインミラー２４０は、レンズユニット１００を通じて入射した入射光の光路上に傾斜して配置される合焦位置と、入射光を避けて上昇する撮影位置（図中に点線で示す）との間を移動する。
【００１９】
合焦位置にあるメインミラー２４０は、入射光の大半を、上方に配置されたフォーカシングスクリーン２７２に導く。フォーカシングスクリーン２７２は、レンズユニット１００の光学系が合焦した場合に像を結ぶ位置に配置され、当該像を可視化する。
【００２０】
フォーカシングスクリーン２７２に結像された像は、ペンタプリズム２７０を介してファインダ光学系２９０から観察される。これにより、ファインダ光学系２９０からは、フォーカシングスクリーン２７２上の映像を正像として見ることができる。
【００２１】
ペンタプリズム２７０およびファインダ光学系２９０の間にはハーフミラー２９２が配置される。ハーフミラー２９２は、ファインダＬＣＤ２９４に形成された表示画像を、フォーカシングスクリーン２７２の映像に重畳させる。これにより、ファインダ光学系２９０の出射端において、フォーカシングスクリーン２７２上の像と、ファインダＬＣＤ２９４の映像とを併せて見ることができる。なお、ファインダＬＣＤ２９４には、カメラシステム３００の撮影条件、設定条件等の情報が表示される。
【００２２】
また、ペンタプリズム２７０の出射光の一部は、測光部２８０に導かれる。測光部２８０は、入射光の強度およびその分布等を測定して、撮影条件を決定する場合に測定結果を参照させる。
【００２３】
一方、入射光の入射面に対するメインミラー２４０の裏面には、サブミラー２４２が配置される。サブミラー２４２は、メインミラー２４０を透過した入射光の一部を、下方に配置された焦点検出装置２３０に導く。これにより、メインミラー２４０が合焦位置にある場合は、焦点検出装置２３０が光学系の焦点調整状態を検出する。なお、メインミラー２４０が撮影位置に移動した場合は、サブミラー２４２も入射光の光路から退避する。
【００２４】
レンズユニット１００からの入射光に対してメインミラー２４０の後方には、シャッタ２２０、光学フィルタ２１２およびイメージセンサ２１０が光軸に沿って配置される。シャッタ２２０が開放される場合は、その直前にメインミラー２４０が撮影位置に移動するので、入射光は直進してイメージセンサ２１０に入射される。これにより、入射光の形成する画像が、イメージセンサ２１０において電気信号に変換される。
【００２５】
カメラボディ２００は、レンズユニット１００に対して背面において、外部に面したメインＬＣＤ２９６を備える。メインＬＣＤ２９６は、カメラボディ２００に対する各種の設定情報を表示する他、メインミラー２４０が撮影位置に移動している場合にイメージセンサ２１０に形成された画像を表示することもできる。
【００２６】
主制御部２５０は、カメラボディ２００における上記のような種々の動作を総合的に制御する。また、カメラボディ２００側の焦点検出装置２３０が検出した被写体までの距離の情報を参照してレンズユニット１００を駆動するオートフォーカス機構を形成できる。更に、主制御部２５０は、レンズユニット１００のマイクロプロセッサと情報を交換して、レンズユニット１００側の絞り装置１５２の開閉等を制御する場合もある。
【００２７】
図２は、調芯機構４００の断面図である。調芯機構４００は、支持部１６０、ガイドバー１２０、１２１およびレンズ枠１４０を含み、レンズ１４１を光軸Ｃに対して軸を合わせする。
【００２８】
ガイドバー１２０は、両端のそれぞれにおいて、円柱状の端部１２４を支持部１６０に挿通することにより支持部１６０から支持されると共に、支持部１６０に対して回転自在となる。ガイドバー１２０の一方の端面には、多角形の開口を有する被駆動部１２６が設けられ、レンズユニット１００の外部からガイドバー１２０を回転させることができる。
【００２９】
ガイドバー１２０の中程には、ガイドバー１２０の他の部分の径よりも大きな径を有する円筒状の偏心部１２２が設けられる。偏心部１２２は、ガイドバー１２０の端部１２４の回転軸とはずれた位置に中心軸を有する。
【００３０】
同様に、ガイドバー１２１は、両端のそれぞれにおいて、円柱状の端部１２５を支持部１６１に挿通することにより支持部１６１から支持されると共に、支持部１６１に対して回転自在となる。ガイドバー１２１の一方の端面には、多角形の開口を有する被駆動部１２７が設けられ、レンズユニット１００の外部から、ガイドバー１２０とは個別にガイドバー１２１を回転させることができる。
【００３１】
ガイドバー１２１の中程には、ガイドバー１２１の他の部分の径よりも大きな径を有する円筒状の偏心部１２３が設けられる。偏心部１２３は、ガイドバー１２１の端部１２５の回転軸とはずれた位置に中心軸を有する。
【００３２】
レンズ１４１を保持するレンズ枠１４０は、紙面に垂直に形成された被案内面１４２において偏心部１２２の周面に接する。また、レンズ枠１４０は、レンズ１４１の径方向に形成された被案内面１４３により偏心部１２２の周面に接する。これにより、レンズ枠１４０は、偏心部１２２、１２３に案内されて、ガイドバー１２０の長手方向に、光軸Ｃと平行に移動する。
【００３３】
図３は、光軸Ｃと直交する面における調芯機構４００の断面図である。図２と共通の要素には同じ参照番号を付して重複する説明を省く。
【００３４】
レンズ枠１４０において、被案内面１４２は、円形のレンズ枠１４０およびレンズ１４１の接線方向に延在する一対の面を含む長穴として形成される。これにより、被案内面１４２は、ガイドバー１２０の偏心部１２２に対して、図中に矢印により示すＹ方向に当接する。
【００３５】
また、レンズ枠１４０において、被案内面１４３は、円形のレンズ枠１４０およびレンズ１４１の径方向に延在する一対の面を含む長穴として形成される。これにより、被案内面１４３は、ガイドバー１２１の偏心部１２３に対して、図中に矢印により示すＸ方向に当接する。
【００３６】
換言すれば、調芯機構４００において、被案内面１４２が偏心部１２２から受ける作用の方向と、被案内面１４３が偏心部１２３から受ける作用の方向とのなす角度βは直角となる。また、調芯機構４００において、光軸Ｃの回りについて被案内面１４２を含む長穴の位置と被案内面１４３を含む長穴の位置とがなす角度αは１８０°となる。
【００３７】
偏心部１２２、１２３は、光軸Ｃに対して対称な位置でレンズ枠１４０を案内する。また、一対の偏心部１２２、１２３は、広いスパンでレンズ枠１４０を案内するので、レンズ枠１４０の安定性が高い。
【００３８】
なお、偏心部１２２、１２３に沿ってレンズ枠１４０を移動させる場合は、レンズ枠１４０の周方向について、図中に点線でカムフォロワ１４９を例示するように、偏心部１２２、１２３のいずれかにできるだけ近い位置で駆動力を伝えることが好ましい。これにより、駆動力のうち、レンズ枠１４０をチルトさせる成分を小さくすることができる。
【００３９】
また、上記の例では、被駆動部１２６、１２７としてガイドバー１２０、１２１の端面にすりわりを設けた。しかしながら、被駆動部１２６、１２７は、十字溝、多角形等のソケットホール等、他の形状でも差し支えない。更に、被駆動部１２６、１２７は、ヘクスローブ、ポジドライブ等の駆動力を受ける形状を有してもよい。
【００４０】
図４は、偏心部１２２を有するガイドバー１２０と被案内面１４２を含むレンズ枠１４０との組み合わせに着目して調芯機構４００の動作を説明する模式図である。図３と共通の要素には同じ参照番号を付して重複する説明を省く。
【００４１】
なお、以下の説明では、図中の左側の状態を初期状態４０１とする。また、初期状態４０１から調芯によりレンズ枠１４０が変位した状態を、図中の右側に変位状態４０２として示す。
【００４２】
ガイドバー１２０は、固定筒１１０に設けられた支持部１６０において、回転軸Ｚ１を中心にして回転自在に支持される。ガイドバー１２０に設けられた偏心部１２２は、ガイドバー１２０の回転軸Ｚ１に対してオフセットδｄを有する位置に配された中心Ｚ２を有する。初期状態４０１において、回転軸Ｚ１および中心軸Ｚ２は、被案内面１４２に対して同じ間隔をなす位置に、紙面上で水平に配列される。
【００４３】
ガイドバー１２０が回転軸Ｚ１の回りに回転角δθｙまで回転され、調芯機構４００が初期状態４０１から変位状態４０２になった場合、固定された支持部１６０に支持されたガイドバー１２０の回転軸Ｚ１の位置は変化しない。一方、偏心部１２２の外周面は、オフセットδｄおよび回転角度δθｙに応じて上方に変位する。これにより、被案内面１４２は押し上げられて、初期状態４０１に対して移動距離δＹまで移動する。
【００４４】
こうして、レンズ枠１４０は、初期位置Ｐ０から調芯位置Ｐ１までＹ方向に移動する。このとき、偏心部１２２から被案内面１４２に伝わる力は専らＹ方向に作用するので、ガイドバー１２０の回転によりレンズ枠１４０がＸ方向に変位することはない。同様に、図３に示したガイドバー１２１および被案内面１４３においては、ガイドバー１２１の回転により、レンズ枠１４０を専らＸ方向に移動させることができる。
【００４５】
図５は、調芯機構４００の調芯範囲を示す図である。図３および図４に示したように、レンズ枠１４０は、一対のガイドバー１２０、１２１の各々に対して一対の被案内面１４２、１４３を有して、ガイドバー１２０、１２１の各々を挟んでいる。
【００４６】
従って、ガイドバー１２０、１２１がいずれの方向に回転された場合であっても、偏心部１２２、１２３の変位がレンズ枠に作用する。これにより、図中に示すように、調芯機構４００は、レンズ枠１４０を、Ｘ方向およびＹ方向に、それぞれ距離２・δＸ、距離２δＹの調芯範囲Ａで移動させることができる。
【００４７】
なお、図１に示したように、レンズ群１５１および絞り装置１５２を保持するレンズ枠１５０は、偏心部１２２、１２３以外の部分でガイドバー１２０、１２１から支持される。従って、レンズ枠１４０を調芯する目的でガイドバー１２０、１２１を回転させた場合も、レンズ枠１５０の光軸は変位しない。
【００４８】
図６は、調芯機構４００の他の形態を示す図である。図１から図５までと共通の要素には同じ参照番号を付して重複する説明を省く。
【００４９】
このレンズ枠１４０において、被案内面１４４、１４５は、円形のレンズ枠１４０およびレンズ１４１の接線方向に延在する一対の面を含む長穴として形成される。ただし、被案内面１４４、１４５は相互に直交して、ガイドバー１２０、１２１の偏心部１２２、１２３に対して、図中に矢印により示すＸ方向またはＹ方向に当接する。
【００５０】
この調芯機構４００においても、被案内面１４４が偏心部１２２から受ける作用の方向と、被案内面１４５が偏心部１２３から受ける作用の方向とのなす角度βは直角となる。これにより、ガイドバー１２０、１２１を回転させることにより、レンズ枠１４０をＸ方向およびＹ方向にそれぞれ変位させることができる。
【００５１】
図７は、調芯機構４００の調芯範囲を示す図である。図示のように、この調芯機構４００も、図３等に示した形態と実質的に同じ調芯範囲Ｂでレンズ枠１４０を変位させて、レンズ１４１を光軸Ｃに合わせることができる。
【００５２】
再び図６を参照すると、調芯機構４００において、光軸Ｃの回りについて被案内面１４４を含む長穴の位置と被案内面１４５を含む長穴の位置とがなす角度αは９０°となる。この場合も、偏心部１２２、１２３は、光軸Ｃに対して対称な位置でレンズ枠１４０を案内する。
【００５３】
これにより、レンズ枠１４０は、偏心部１２２、１２３の周面に沿って光軸Ｃの方向に移動できる。また、被案内面１４４、１４５をいずれもレンズ１４１の接線方向に配することにより、被案内面１４４、１４５を含むレンズ枠１４０を小径化しやすくなる。
【００５４】
なお、上記の調芯機構４００を有するレンズユニット１００において、偏心部１２２、１２３に沿ってレンズ枠１４０を移動させる場合は、図中に点線で示すカムフォロワ１４９のように、光軸Ｃの回りについて、偏心部１２２、１２３に挟まれる角度が小さい側において、レンズ枠１４０に駆動力を伝えることが好ましい。これにより、駆動力のうち、レンズ枠１４０をチルトさせる成分を小さくすることができる。
【００５５】
図８は、調芯機構４００のまた他の形態を示す図である。図１から図７までと共通の要素には同じ参照番号を付して重複する説明を省く。
【００５６】
このレンズ枠１４０において、被案内面１４６、１４７は、円形のレンズ枠１４０およびレンズ１４１の径方向に放射状に延在する一対の面を含むＵ溝として形成される。ただし、被案内面１４６、１４７は相互に直交して、ガイドバー１２０、１２１の偏心部１２２、１２３に対して、図中に矢印により示すＸ方向またはＹ方向に当接する。
【００５７】
この調芯機構４００においても、被案内面１４６が偏心部１２２から受ける作用の方向と、被案内面１４７が偏心部１２３から受ける作用の方向とのなす角度βは直角となる。これにより、ガイドバー１２０、１２１を回転させることにより、レンズ枠１４０をＸ方向およびＹ方向にそれぞれ変位させることができる。従って、図７に示した調芯範囲Ｂと同じ範囲でレンズ１４１を変位させて調芯できる。
【００５８】
また、調芯機構４００においても、光軸Ｃの回りについて被案内面１４６を含むＵ溝の位置と被案内面１４７を含むＵ溝の位置とがなす角度αは９０°となる。これにより、偏心部１２２、１２３は、光軸Ｃに対して対称な位置でレンズ枠１４０を案内する。従って、レンズ枠１４０は、偏心部１２２、１２３の周面に沿って光軸Ｃの方向に移動できる。
【００５９】
このように、被案内面１４６、１４７は光軸Ｃに対して放射状に配してもよい。また、レンズ枠１４０において、被案内面１４６、１４７は、長穴をなすことが必須ではなく、角穴などであってもよい。また、Ｕ溝のように、一端が開放された形状であってもよい。これにより、レンズユニット１００の設計の自由度が得られると共に、生産性も向上される。
【００６０】
なお、上記の例では、一対のガイドバー１２０、１２１により、ひとつのレンズ枠１４０に対する調芯機構４００を形成した例を示した。しかしながら、一対のガイドバー１２０、１２１により、複数のレンズ枠を調芯する調芯機構を形成することもできる。また、ひとつのレンズユニット１００において、複数対のガイドバーを配して、複数の調芯機構を設けることもできる。
【００６１】
また、上記の例では、互いに平行な一対の被案内面１４２、１４３、１４４、１４５、１４６、１４７により偏心部１２２、１２３を挟む形態とした。しかしながら、例えば、偏心部１２２、１２３を被案内面１４２、１４３、１４４、１４５、１４６、１４７に向かって押し付ける付勢部を設けて、被案内面１４２、１４３をそれぞれ単一の面としてもよい。
【００６２】
ただし、弾性部材の作用により付勢する場合は、レンズ枠１４０およびレンズ１４１に対する重力の作用方向と付勢部材の作用方向とが協働することが好ましい。これにより、レンズ枠１４０およびレンズ１４１に作用する重力の影響が光学系の精度に及ぼす影響を抑制できる。
【００６３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６４】
１００  レンズユニット、１１０  固定筒、１２０、１２１  ガイドバー、１２２、１２３  偏心部、１２４、１２５  端部、１２６、１２７  被駆動部、１３０、１４０、１５０  レンズ枠、１３１、１５１  レンズ群、１４１  レンズ、１４２、１４３、１４４、１４５、１４６、１４７  被案内面、１４９  カムフォロワ、１５２  絞り装置、１６０、１６１  支持部、２００  カメラボディ、２１０  イメージセンサ、２１２  光学フィルタ、２２０  シャッタ、２３０  焦点検出装置、２４０  メインミラー、２４２  サブミラー、２５０  主制御部、２６０  マウント部、２７０  ペンタプリズム、２７２  フォーカシングスクリーン、２８０  測光部、２９０  ファインダ光学系、２９２  ハーフミラー、２９４  ファインダＬＣＤ、２９６  メインＬＣＤ、３００  カメラシステム、４００  調芯機構、４０１  初期状態、４０２  変位状態
【図１】
0005499621.tif 000002
【図２】
0005499621.tif 000003
【図３】
0005499621.tif 000004
【図４】
0005499621.tif 000005
【図５】
0005499621.tif 000006
【図６】
0005499621.tif 000007
【図７】
0005499621.tif 000008
【図８】
0005499621.tif 000009